(57)【特許請求の範囲】
【請求項１】
前面と間隔を存して屈曲された後フランジを有する外面材と、前記後フランジに係合された扉サッシュと、この扉サッシュに当接する内面材と、これら外面材、扉サッシュ及び内面材とで囲まれる空間に発泡充填された断熱材とから成り、前記扉サッシュには長手方向に渡る仕切部材を取り付けて成る冷却貯蔵庫の扉装置において、
前記扉サッシュと後フランジ間に挿入され、当該扉サッシュの姿勢が前記外面材の前面と平行となるように補正する薄肉のスペーサを備え、このスペーサには、前記仕切部材を扉サッシュに固定するための固定具が貫通すると共に、当該固定具よりも充分大成る寸法を有する透孔を設けたことを特徴とする冷却貯蔵庫の扉装置。
【請求項２】
スペーサは断面直方体形状、若しくは、くさび形状を呈していることを特徴とする請求項１の冷却貯蔵庫の扉装置。
【発明の詳細な説明】
【０００１】
【発明の属する技術分野】
本発明は、家庭用或いは業務用冷蔵庫などに代表される冷却貯蔵庫の開口を開閉自在に閉塞するための扉装置に関するものである。
【０００２】
【従来の技術】
従来よりこの種冷蔵庫は、例えば特開平７−２４８１７７号公報（Ｆ２５Ｄ２３／０２）に示される如く、前面に開口する断熱箱体の開口を観音開き式の扉にて開閉している。係る観音開き式の扉では開口の中央側において左右の扉が当接する仕切部材が必要となるが、係る仕切部材の存在は食品の納出にて極めて邪魔となる。
【０００３】
これに対して、一方の扉の非枢支側に長手方向に渡る仕切部材を取り付けておき、両扉を閉じた状態では他方の扉の非枢支側が一方の扉の仕切部材に当接できるようにし、両扉を開いた場合には仕切部材は一方の扉と共に断熱箱体の開口から離間する家具式の扉も考えられている。しかしながら、係る構造では一方の扉を閉じた後に他方の扉を閉じ、或いは、一方の扉のみ開くことができないと云う制約がある。
【０００４】
そこで、前記公報では回転自在の仕切部材を一方の扉の非枢支側に取り付け、当該扉が閉じた状態では仕切部材の前面を断熱箱体の開口において前方に指向させ、両扉の当接面を形成すると共に、一方の扉を開く動作にて他方の扉を避けるように仕切部材を回転させる構造を採っている。係る構成によれば、両扉を独立して開閉することが可能となり、利便性が極めて向上する。
【０００５】
以下、図１２及び図１３を用いて係る従来の扉１０１の構造を説明する。各図において、１０２は鋼板製の外面材であり、この外面材１０２は前面１０２Ａと、この前面１０２Ａの縁部を後方に所定曲率で直角に屈曲することにより形成された側面１０２Ｂと、この側面１０２Ｂの後端を内側に直角に屈曲することにより形成された後フランジ１０２Ｃとから構成されている。
【０００６】
一方、１０３は扉サッシュであり、硬質合成樹脂の押出成形により構成されている。この扉サッシュ１０３の本体１０３Ａの表面中央には突起１０３Ｂが形成され、この突起１０３Ｂに対応する本体１０３Ａの裏面には下方に延在した後、外方に屈曲された腕部１０３Ｃが形成されている。そして、この腕部１０３Ｃと本体１０３Ａ間に外方に開口した係合溝１０３Ｄが構成されている。
【０００７】
この係合溝１０３Ｄ内に前記外面材１０２の後フランジ１０２Ｃの先端を挿入係合することにより、扉サッシュ１０３を外面材１０２に取り付ける。そして、扉サッシュ１０３の本体１０３Ａの突起１０３Ｂより内側の表面に硬質樹脂若しくは鋼板製の内面材１０４を当接させ、この状態で図示しない発泡治具内に装填し、外面材１０２、扉サッシュ１０３及び内面材１０４間に発泡断熱材１０５を充填することにより、扉本体１０６を完成する。
【０００８】
次ぎに、図１３に示す如きＬ字状の取付板１１を扉１０１の非枢支側の扉サッシュ１０３と後フランジ１０２Ｃにネジ１２により固定する。そして、この取付板１１には内面材１０４側に保持具１３をネジ１４により固定すると共に、この保持具１３には仕切体１６を取り付ける。これら取付板１１、保持具１３及び仕切体１６にて回転式の仕切部材１７が構成される。
【０００９】
この仕切体１６は扉本体１０６の長手方向に延在しており、断面コ字状の樹脂製本体２１と、この本体２１の開口を塞ぐように取り付けられた鋼板製の前面板２２と、これら本体２１内に挿入された断熱材２３や前面板２２裏面に取り付けられたヒータ２４などから構成されている。そして、仕切体１６は長手方向に延在する軸を中心として回動自在に前記保持具１３に取り付けられている。尚、２６は保持具１３に一体に形成された取付溝１３Ａに取り付けられたマグネットガスケットである。
【００１０】
そして、前記仕切体１６は扉１０１が図示しない冷却貯蔵庫の断熱箱体の前面開口を閉じた状態では、前面板２２を前方に向けて開口に位置させ、当該扉１０１及び他方の扉のガスケット２６の当接面を構成する。これによって、開口は気密に閉塞される。
【００１１】
次ぎに、扉１０１を開くと、断熱箱体側に設けられた図示しない案内部材によって仕切体１６は案内され、前面板２２が他方の扉方向に向くように回動される。これによって、仕切体１６は他方の扉を避けて前方に移動可能となり、両扉は独立して開閉可能となるものであった。
【００１２】
【発明が解決しようとする課題】
しかしながら、外面材１０２の側面１０２Ｂと後フランジ１０２Ｃとの角度は、必ずしも直角（９０度）とならず、生産時、より大きい角度となる方向に加工誤差（バラツキ）が発生する。また、後フランジ１０２Ｃは扉サッシュ１０３の係合溝１０３Ｄ内に余裕を持って係合すると共に、断熱材１０５を充填する際には外方への発泡圧力を受ける。
【００１３】
このような種々の要因により、完成時の扉１０１の周辺は図１２の如く内面材１０４側が盛り上がり、扉サッシュ１０３の外側（後フランジ１０２Ｃ側）が低く内側（内面材１０４側）が高くなる場合が発生する。このような変形が生じると、仕切部材１７の取付板１１を扉サッシュ１０３に固定した場合、保持具１３及び仕切体１６は、図１３の如く外側に傾いたかたちで取り付けられることになる。
【００１４】
このように仕切体１６が傾斜すると、扉１０１を閉じた状態で仕切体１６の前面板２２は断熱箱体の開口と面一とならなくなり、両扉のガスケット２６の密着性が低下して冷気漏れを生じる問題が発生すると共に、扉１０１を開く際に他方の扉先端に仕切体１６が当接してしまう不都合も生じる。そして、前者の問題は回転式の仕切部材１７に限らず、前述の如く仕切部材を扉１０１の非枢支側に固定する所謂家具式のものでも同様に発生する。
【００１５】
本発明は、係る従来の技術的課題を解決するために成されたものであり、仕切部材を扉サッシュに支障無く取り付けることができ、密閉性の低下を未然に回避することができる冷却貯蔵庫の扉装置を簡単な構成で提供するものである。
【００１６】
【課題を解決するための手段】
本発明の冷却貯蔵庫の扉装置は、前面と間隔を存して屈曲された後フランジを有する外面材と、後フランジに係合された扉サッシュと、この扉サッシュに当接する内面材と、これら外面材、扉サッシュ及び内面材とで囲まれる空間に発泡充填された断熱材とから成り、扉サッシュには長手方向に渡る仕切部材を取り付けて成るものであって、扉サッシュと後フランジ間に挿入され、当該扉サッシュの姿勢が前記外面材の前面と平行となるように補正する薄肉のスペーサを備え、このスペーサには、仕切部材を扉サッシュに固定するための固定具が貫通すると共に、当該固定具よりも充分大成る寸法を有する透孔を設けたものである。
【００１７】
本発明によれば、前面と間隔を存して屈曲された後フランジを有する外面材と、後フランジに係合された扉サッシュと、この扉サッシュに当接する内面材と、これら外面材、扉サッシュ及び内面材とで囲まれる空間に発泡充填された断熱材とから成り、扉サッシュには長手方向に渡る仕切部材を取り付けて成る冷却貯蔵庫の扉装置において、扉サッシュと後フランジ間に扉サッシュの姿勢が前記外面材の前面と平行となるように補正する薄肉のスペーサを挿入したので、外面材の後フランジの屈曲加工に誤差が発生しても、スペーサによって扉サッシュの姿勢は外面材の前面と平行となる方向に補正される。
【００１８】
これにより、仕切部材を正規の位置に取り付けることができるようになり、仕切部材の傾斜による扉の密閉性低下などを未然に回避することが可能となる。特に、扉サッシュと外面材の後フランジ間にスペーサを挿入するだけであるので、組立作業性の悪化も生じず、コストの高騰も最小限に抑えられる。また、スペーサには、仕切部材を扉サッシュに固定するための固定具が貫通すると共に、当該固定具よりも充分大成る寸法を有する透孔を設けたので、断熱材発泡中の圧力によってスペーサの位置が多少ずれても、支障無く固定具を貫通させ、仕切部材を取り付けることができるようになるものである。
【００１９】
請求項２の発明の冷却貯蔵庫の扉装置は、上記においてスペーサは断面直方体形状、若しくは、くさび形状を呈しているものである。
【００２０】
請求項２の発明によれば、上記に加えてスペーサを断面直方体形状、若しくは、くさび形状としたので、直方体形状のものでは外面材の加工誤差が大きい場合に有効となり、くさび形状のものでは挿入作業が容易となる効果を奏するものである。
【００２１】
【発明の実施の形態】
以下、図面に基づき本発明の実施形態を詳述する。図１は本発明を適用した冷却貯蔵庫１の正面図、図２は冷却貯蔵庫１の扉２の斜視図、図３は扉２の非枢支側の拡大断面図である。尚、各図において図１２及び図１３と同一符号は同一のものとする。
【００２２】
実施例の冷却貯蔵庫１は、ホテルやレストランの厨房などに設置される業務用冷蔵庫であり、前面に開口する断熱箱体３により構成されている。この断熱箱体３内に構成された貯蔵室４内には調理済みの食品（料理）や食材を載置するための棚６・・が架設されており、更に、この貯蔵室４の開口７は横方向の仕切部材８によって上下に仕切られている。
【００２３】
また、貯蔵室４内上部には冷却ユニット９が取り付けられており、この冷却ユニット９によって貯蔵室４内は所定の温度に冷却される。更に、断熱箱体３の天面にはパネル３１によって機械室３２が画成されており、この機械室３２内には図示しない圧縮機や凝縮器などから成る凝縮ユニットが設置され、前記冷却ユニットの冷却器と所定の冷媒回路を構成している。
【００２４】
一方、仕切部材８によって仕切られた貯蔵室４の上下の開口７は二組の観音開き式の扉（断熱扉）２、３３によって開閉自在に閉塞される。また、上下の開口７の中央部にそれぞれ位置する貯蔵室４の天面及び仕切部材８の下面には、案内部材３４、３４がそれぞれ取り付けられている。
【００２５】
ここで、前記扉２は外面材４２と、扉サッシュ４３と、内面材４４と、断熱材４５とから本体４６を構成されており、ここまでは扉３３も同様であるが、向かって右側に位置する扉２には更に仕切部材１７が取り付けられる。前記外面材４２は前面４２Ａと、この前面４２Ａの縁部を後方に所定曲率で直角に屈曲することにより形成された側面４２Ｂと、この側面４２Ｂの後端を内側に直角に屈曲することにより形成された後フランジ４２Ｃとから構成されている。
【００２６】
一方、扉サッシュ４３は硬質合成樹脂の押出成形により構成されている。この扉サッシュ４３の本体４３Ａの表面中央には突起４３Ｂが形成され、この突起４３Ｂに対応する本体４３Ａの裏面には下方に延在した後、外方に屈曲された腕部４３Ｃが形成されている。そして、この腕部４３Ｃと本体４３Ａ間に外方に開口した係合溝４３Ｄが構成されている。
【００２７】
尚、この係合溝４３Ｄの幅Ａは図４、図５に示す外面材４２の厚さよりも大きく構成されている。そして、本体４６を組み立てる際には先ず図５に示す如く扉サッシュ４３の係合溝４３Ｄ内に前記外面材４２の後フランジ４２Ｃの先端を挿入係合して扉サッシュ４３を外面材４２に取り付けるものであるが、この際、扉サッシュ４３と後フランジ４２Ｃ間にはスペーサ５１を介設する。
【００２８】
このスペーサ５１は図６或いは図８に示す如く断面略直方体形状、若しくは、くさび形状の薄肉の例えば硬質合成樹脂板から構成されており、所定の間隔で比較的大きめ（後述するネジ１２よりも充分大成る寸法）の丸孔から成る透孔５２・・が形成されている。そして、扉サッシュ４３の本体４３Ａの突起４３Ｂより内側の表面に、硬質樹脂若しくは鋼板製の前記内面材４４を当接させた状態で、断熱材４５の発泡以前に係るスペーサ５１を図７或いは図８に示す如く扉サッシュ４３の本体４３Ａ裏面と外面材４２の後フランジ４２Ｃ間に挿入する。
【００２９】
この状態で、発泡治具６１内に装填し、図９に示す如く扉サッシュ４３及び内面材４４を押さえ付けて行く。そして、外面材４２、扉サッシュ４３及び内面材４４にて囲まれた空間に発泡断熱材４５を現場発泡方式にて充填することにより、扉本体４６を完成するものであるが、この場合、扉サッシュ４３と後フランジ４２Ｃ間にはスペーサ５１が挿入されているので、外面材４２の後フランジ４２Ｃの屈曲加工に誤差が発生し、その角度Ｘ（図９）が９０度以上となっていても、スペーサ５１によって後フランジ４２Ｃは図９中において押し下げられ、後フランジ４２Ｃと側面４２Ｂとの成す角度は９０度とされて、扉サッシュ４３の姿勢は外面材４２の前面４２Ａと平行となるように補正される（図１０参照）。
【００３０】
このように完成された扉本体４６の非枢支側には、図３に示す如きＬ字状の取付板１１を扉サッシュ４３と後フランジ４２Ｃにネジ１２（固定具）により固定する。このとき、ネジ１２はスペーサ５１の前記透孔５２を貫通して扉サッシュ４３及び後フランジ４２Ｃに螺合する。そして、この取付板１１には内面材４４側に保持具１３をネジ１４により固定すると共に、この保持具１３には仕切体１６を取り付ける。これら取付板１１、保持具１３及び仕切体１６にて回転式の前記仕切部材１７が構成される。
【００３１】
この仕切体１６は扉本体４６の長手方向に延在しており、断面コ字状の樹脂製本体２１と、この本体２１の開口を塞ぐように取り付けられた鋼板製の前面板２２と、これら本体２１内に挿入された断熱材２３や前面板２２裏面に取り付けられたヒータ２４などから構成されている。そして、仕切体１６は長手方向に延在する軸を中心として回動自在に前記保持具１３に取り付けられている。尚、２６は保持具１３に一体に形成された取付溝１３Ａに取り付けられたマグネットガスケットであり、他方の扉３３にも同様に取り付けられている。
【００３２】
そして、前記仕切体１６は扉２が冷却貯蔵庫１の貯蔵室４の前面開口７を閉じた状態では、図３に破線で示す如く前面板２２を前方に向け、開口７と略面一として当該開口７に位置させ、当該扉２及び他方の扉３３のガスケット２６、２６の当接面を構成する。これによって、開口７は気密に閉塞される。この状態で、仕切体１６の上端の図示しないピンは前記案内部材３４に係合している。
【００３３】
次ぎに、扉２を開くと案内部材３４によって仕切体１６は案内され、前面板２２が他方の扉３３方向に向くように回動される（図３に実線で示す）。これによって、仕切体１６は他方の扉３３を避けて前方に移動可能となり、両扉２、３３は独立して開閉可能となる。
【００３４】
このとき、前述の如くスペーサ５１によって扉サッシュ４３の姿勢は外面材４２の前面４２Ａと平行となる方向に補正されているので、仕切部材１７は従来の如く傾くこと無く、正規の位置に取り付けられるようになり、仕切部材１７の傾斜による扉２、３３の密閉性低下などを未然に回避することが可能となる。特に、扉サッシュ４３と外面材４２の後フランジ４２Ｃ間にスペーサ５１を挿入するだけであるので、組立作業性の悪化も生じず、コストの高騰も最小限に抑えられる。
【００３５】
また、スペーサ５１には、仕切部材１７を扉サッシュ４３に固定するためのネジ１２が貫通すると共に、当該ネジ１２よりも充分大成る寸法を有する透孔５２を設けたので、断熱材４５の発泡中の圧力によってスペーサ５１の位置が多少ずれても（馴染んでも）、支障無くネジ１２を貫通させ、仕切部材１７を取り付けることができるようになる。
【００３６】
また、スペーサ５１は断面直方体形状、若しくは、くさび形状としているので、直方体形状のものでは外面材４２の加工誤差が大きい場合に有効となり、くさび形状のものでは挿入作業が容易となる効果を奏する。
【００３７】
尚、実施例では回転式の仕切部材１７を備えた扉に本発明を適用したが、それに限らず、仕切部材を扉の非枢支側に固定する所謂家具式のものでも本発明は有効である。
【００３８】
【発明の効果】
以上詳述した如く本発明によれば、前面と間隔を存して屈曲された後フランジを有する外面材と、後フランジに係合された扉サッシュと、この扉サッシュに当接する内面材と、これら外面材、扉サッシュ及び内面材とで囲まれる空間に発泡充填された断熱材とから成り、扉サッシュには長手方向に渡る仕切部材を取り付けて成る冷却貯蔵庫の扉装置において、扉サッシュと後フランジ間に扉サッシュの姿勢が前記外面材の前面と平行となるように補正する薄肉のスペーサを挿入したので、外面材の後フランジの屈曲加工に誤差が発生しても、スペーサによって扉サッシュの姿勢は外面材の前面と平行となる方向に補正される。
【００３９】
これにより、仕切部材を正規の位置に取り付けることができるようになり、仕切部材の傾斜による扉の密閉性低下などを未然に回避することが可能となる。特に、扉サッシュと外面材の後フランジ間にスペーサを挿入するだけであるので、組立作業性の悪化も生じず、コストの高騰も最小限に抑えられる。また、スペーサには、仕切部材を扉サッシュに固定するための固定具が貫通すると共に、当該固定具よりも充分大成る寸法を有する透孔を設けたので、断熱材発泡中の圧力によってスペーサの位置が多少ずれても、支障無く固定具を貫通させ、仕切部材を取り付けることができるようになるものである。
【００４０】
請求項２の発明によれば、上記に加えてスペーサを断面直方体形状、若しくは、くさび形状としたので、直方体形状のものでは外面材の加工誤差が大きい場合に有効となり、くさび形状のものでは挿入作業が容易となる効果を奏するものである。
【図面の簡単な説明】
【図１】  本発明を適用した冷却貯蔵庫の正面図である。
【図２】  本発明の冷却貯蔵庫の扉の斜視図である。
【図３】  図２の扉の非枢支側の拡大断面図である。
【図４】  扉サッシュの断面図である。
【図５】  扉サッシュに外面材を挿入する手順を説明する図である。
【図６】  スペーサの斜視図である。
【図７】  扉本体にスペーサを挿入する手順を説明する図である。
【図８】  断熱材を発泡する以前の扉本体の非枢支側の拡大断面図である。
【図９】  治具にて押さえ付ける過程を示す図である。
【図１０】  治具内にて断熱材の発泡が終了した時点の扉本体の非枢支側の拡大断面図である。
【図１１】  扉本体に取付板をネジ止めする手順を説明する図である。
【図１２】  従来の扉の扉本体の非枢支側の拡大断面図である。
【図１３】  従来の扉の非枢支側の拡大断面図である。
【符号の説明】
２  扉
１１  取付板
１２  ネジ（固定具）
１６  仕切体
１７  仕切部材
４２  外面材
４３  扉サッシュ
４４  内面材
４５  断熱材
５１  スペーサ
５２  透孔
【図１】
0003825533.tif 000002
【図２】
0003825533.tif 000003
【図３】
0003825533.tif 000004
【図４】
0003825533.tif 000005
【図５】
0003825533.tif 000006
【図６】
0003825533.tif 000007
【図７】
0003825533.tif 000008
【図８】
0003825533.tif 000009
【図９】
0003825533.tif 000010
【図１０】
0003825533.tif 000011
【図１１】
0003825533.tif 000012
【図１２】
0003825533.tif 000013
【図１３】
0003825533.tif 000014